(57)【特許請求の範囲】
【請求項１】
一面に第１の開口部が設けられた主筐体と、
媒体を収納する収納庫を装填可能で、前記主筐体の内部に収納可能であり、前記第１の開口部を介して前記主筐体の外部に引き出し可能な引出と、
前記第１の開口部を覆う位置に配置され、前記主筐体に対して開閉可能に設けられた第１の扉と、
前記第１の扉の一面側に設けられ、媒体を収納する収納空間を内部に有する媒体収納部と、
前記第１の扉に設けられ、前記第１の扉の他面側から前記収納空間へ投入される媒体が通過する媒体入口と、
を備え、
前記媒体収納部には、第２の開口部が設けられ、
前記媒体収納部が第１の位置に位置するときに、前記第２の開口部は前記第１の扉の一面側により覆われ、
前記媒体収納部が第２の位置に位置するときに、前記第２の開口部は開放され、
前記第１の扉の、前記媒体収納部が前記第１の位置に位置するときに前記第２の開口部を覆う面には、前記媒体収納部側へ突出するカバー部が設けられ、
前記カバー部は、前記媒体収納部が前記第１の位置に位置するときに、前記媒体収納部の側面に隣接する、
媒体処理装置。
【請求項２】
前記収納空間と前記媒体入口との間には、前記収納空間を前記主筐体の外部から遮蔽する遮蔽部が設けられる、請求項１に記載の媒体処理装置。
【請求項３】
前記媒体処理装置は、施錠状態において前記第１の扉により覆われた前記第２の開口部の開放を規制する第１の施錠部をさらに備える、請求項１又は２に記載の媒体処理装置。
【請求項４】
前記第１の扉より前記主筐体の内部側には、前記第１の開口部を開閉可能とする第２の扉が設けられ、
前記媒体処理装置は、施錠状態において前記第２の扉により閉鎖された前記第１の開口部の開放を規制する第２の施錠部をさらに備え、
前記第１の施錠部を開錠可能な鍵と、前記第２の施錠部を開錠可能な鍵とは、互いに異なる、
請求項３に記載の媒体処理装置。
【請求項５】
前記媒体収納部の前記第１の扉によって覆われない面に貫通孔が形成される、請求項１〜４のいずれか一項に記載の媒体処理装置。
【請求項６】
前記貫通孔は、前記収納空間へ収納される媒体の短辺の長さより長さが短いスリット形状を有する、請求項５に記載の媒体処理装置。
【請求項７】
前記貫通孔は、略鉛直方向に延設される、請求項６に記載の媒体処理装置。
【請求項８】
前記第２の開口部より下方には、略水平方向の回転軸が設けられ、
前記媒体収納部は、前記回転軸を中心に前記第２の開口部が開放又は閉塞される方向に回動可能に設けられる、
請求項１〜７のいずれか一項に記載の媒体処理装置。
【請求項９】
前記媒体処理装置は、前記媒体収納部が前記第１の位置に位置するときに、前記媒体収納部と前記第１の扉との間に挟まれる緩衝部材をさらに備える、請求項１〜８のいずれか一項に記載の媒体処理装置。
【請求項１０】
前記媒体処理装置は、複数の前記媒体収納部及び前記媒体入口を備える、請求項１〜９のいずれか一項に記載の媒体処理装置。
【請求項１１】
前記複数の前記媒体収納部及び前記媒体入口は略水平方向に配置される、請求項１０に記載の媒体処理装置。
【請求項１２】
前記媒体入口の上方に前記媒体処理装置の一部が配置される、請求項１〜１１のいずれか一項に記載の媒体処理装置。
【発明の詳細な説明】
【技術分野】
【０００１】
本発明は、媒体処理装置に関する。
【背景技術】
【０００２】
近年、金融機関の営業店カウンタ等において、現金の入金や出金等の取引のために、現金処理装置が利用されている。このような現金処理装置は、一般的に媒体処理装置としての機能を備え、具体的には、紙幣入出金機能および紙幣収納機能を備える。
【０００３】
例えば、特許文献１には、現金処理装置の保守作業における使い勝手を向上させるために、出金取引時に異常であると判定された紙幣を収納するリジェクト庫が着脱可能に設けられた現金処理装置が開示されている。
【先行技術文献】
【特許文献】
【０００４】
【特許文献１】特開２０１４−１１２２９６号公報
【発明の概要】
【発明が解決しようとする課題】
【０００５】
しかし、従来の技術において、媒体の管理が煩雑である場合があった。例えば、特許文献１に開示されている技術では、入金取引時に異常であると判定された紙幣は、出金口から排出される。ここで、出金口から排出された紙幣については、現金処理装置の内部とは別の場所に保管する必要が生じ得る。このような場合には、管理される紙幣の保管場所が分散されるので、紙幣の管理が煩雑になり得る。
【０００６】
そこで、本発明は、上記問題に鑑みてなされたものであり、本発明の目的とするところは、媒体の管理の煩雑さを低減することが可能な、新規かつ改良された媒体処理装置を提供することにある。
【課題を解決するための手段】
【０００７】
上記課題を解決するために、一面に第１の開口部が設けられた主筐体と、媒体を収納する収納庫を装填可能で、前記主筐体の内部に収納可能であり、前記第１の開口部を介して前記主筐体の外部に引き出し可能な引出と、前記第１の開口部を覆う位置に配置され、前記主筐体に対して開閉可能に設けられた第１の扉と、前記第１の扉の一面側に設けられ、媒体を収納する収納空間を内部に有する媒体収納部と、前記第１の扉に設けられ、前記第１の扉の他面側から前記収納空間へ投入される媒体が通過する媒体入口と、を備え、前記媒体収納部には、第２の開口部が設けられ、前記媒体収納部が第１の位置に位置するときに、前記第２の開口部は前記第１の扉の一面側により覆われ、前記媒体収納部が第２の位置に位置するときに、前記第２の開口部は開放され、前記第１の扉の、前記媒体収納部が前記第１の位置に位置するときに前記第２の開口部を覆う面には、前記媒体収納部側へ突出するカバー部が設けられ、前記カバー部は、前記媒体収納部が前記第１の位置に位置するときに、前記媒体収納部の側面に隣接する、媒体処理装置が提供される。
【０００８】
前記収納空間と前記媒体入口との間には、前記収納空間を前記主筐体の外部から遮蔽する遮蔽部が設けられてもよい。
【００１０】
前記媒体処理装置は、施錠状態において前記第１の扉により覆われた前記第２の開口部の開放を規制する第１の施錠部をさらに備えてもよい。
【００１１】
前記第１の扉より前記主筐体の内部側には、前記第１の開口部を開閉可能とする第２の扉が設けられ、前記媒体処理装置は、施錠状態において前記第２の扉により閉鎖された前記第１の開口部の開放を規制する第２の施錠部をさらに備え、前記第１の施錠部を開錠可能な鍵と、前記第２の施錠部を開錠可能な鍵とは、互いに異なってもよい。
【００１２】
前記媒体収納部の前記第１の扉によって覆われない面に貫通孔が形成されてもよい。
【００１３】
前記貫通孔は、前記収納空間へ収納される媒体の短辺の長さより長さが短いスリット形状を有してもよい。
【００１４】
前記貫通孔は、略鉛直方向に延設されてもよい。
【００１５】
前記第２の開口部より下方には、略水平方向の回転軸が設けられ、前記媒体収納部は、前記回転軸を中心に前記第２の開口部が開放又は閉塞される方向に回動可能に設けられてもよい。
【００１７】
前記媒体処理装置は、前記媒体収納部が前記第１の位置に位置するときに、前記媒体収納部と前記第１の扉との間に挟まれる緩衝部材をさらに備えてもよい。
【００１８】
前記媒体処理装置は、複数の前記媒体収納部及び前記媒体入口を備えてもよい。
【００１９】
前記複数の前記媒体収納部及び前記媒体入口は略水平方向に配置されてもよい。
【００２０】
前記媒体入口の上方に前記媒体処理装置の一部が配置されてもよい。
【発明の効果】
【００２１】
以上説明したように本発明によれば、媒体の管理の煩雑さを低減することができる。
【図面の簡単な説明】
【００２２】
【図１】本発明の実施形態に係る現金処理装置の一例の概略構成を示す側面図である。
【図２】本発明の実施形態に係る現金処理装置の一例の概略構成を示す正面図である。
【図３】本発明の実施形態に係る現金処理装置の一例の概略構成を示す上面図である。
【図４】上部ユニットの引き出し方向を説明するための説明図である。
【図５】下部ユニットの引き出し方向を説明するための説明図である。
【図６】本発明の実施形態に係る現金処理装置の入金時における紙幣の流れを示す説明図である。
【図７】本発明の実施形態に係る現金処理装置の収納時における紙幣の流れを示す説明図である。
【図８】本発明の実施形態に係る紙幣収納部の構成を示す斜視図である。
【図９】本発明の実施形態に係る紙幣収納部及び第１の扉の構成を示す説明図である。
【図１０】扉側紙幣入口の詳細について説明するための説明図である。
【図１１】第１の扉に対する紙幣収納部の回動後の紙幣収納部及び第１の扉を示す説明図である。
【図１２】図１１に示した紙幣収納部及び第１の扉の略鉛直方向の断面における断面図である。
【図１３】図９に示した第１の施錠部及び第１の施錠部の周囲の構成を含む領域の拡大図である。
【図１４】図１３に示した第１の施錠部及び第１の施錠部の周囲の構成の略水平方向の断面における断面図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
＜１．本発明の実施形態に係る現金処理装置＞
（１−１．現金処理装置の概要構成）
まず、図１〜５を参照して、本発明の実施形態に係る現金処理装置１の概略構成について説明する。現金処理装置１は、例えば、金融機関の受付窓口員等の行員又は顧客による操作に基づいて各種処理を実行する操作型端末であり、金融機関の営業店等に設置される。なお、現金処理装置１は、本発明に係る媒体処理装置の一例であり、現金処理装置１によって処理される紙幣は、本発明に係る媒体の一例である。
【００２５】
図１〜図３は、それぞれ本発明の実施形態に係る現金処理装置１の一例の概略構成を示す側面図、正面図、及び上面図である。図１〜図３に示したように、現金処理装置１は、上部ユニット１００と、下部ユニット２００と、上部筐体３００と、下部筐体４００と、第１の扉５００と、紙幣収納部６００と、第２の扉７００と、を備える。以下、図１紙面における右側及び下側をそれぞれ現金処理装置１の正面側及び底面側と定義する。
【００２６】
[上部ユニット]
図１〜図３に示したように、上部ユニット１００は、入金口１０１、出金口１０３、１０５、搬送路１０７、認識部１１３、一時保留部１１５、及び上部ユニットカバー１１７を含む。
【００２７】
入金口１０１は、オペレータによって紙幣が投入される投入口である。入金口１０１には、開口部を開閉するシャッター（不図示）が設けられてもよい。また、入金口１０１は、束で投入された紙幣を１枚ずつ分離して搬送路１０７に繰り出す。
【００２８】
出金口１０３、１０５は、オペレータが受け取る紙幣が排出される排出口である。出金口１０３、１０５には、開口部を開閉するシャッター（不図示）が設けられてもよい。また、出金口１０３、１０５は、排出する紙幣を集積してもよい。なお、図１に示した出金口の数は一例に過ぎず、現金処理装置１には、例えば、１つの出金口又は３つ以上の出金口が設けられてもよい。
【００２９】
搬送路１０７は、紙幣を搬送する。紙幣の搬送には、例えば、対向して当接する複数のローラの間に紙幣を挟んで送出する機構が用いられる。搬送路１０７は、例えば、ＤＣサーボモータやパルスモータ等の駆動モータ（不図示）が回転することによって駆動される。駆動モータ（不図示）は、現金処理装置１の全体の動作を制御する制御部（不図示）の制御に従って、搬送路１０７が紙幣を目的の搬送先に搬送するように搬送路１０７を駆動する。搬送路１０７は、複数の搬送区間に分割され、複数の搬送区間は、それぞれの駆動モータ（不図示）によって駆動されてもよい。搬送路１０７の分岐部分には、ブレード１０９、１１１が設けられており、ブレード１０９、１１１は、制御部（不図示）の制御に従って紙幣の搬送方向を制御する。例えば、ブレード１０９、１１１は、ロータリー式ソレノイドに連結されており、当該ロータリー式ソレノイドの動作に応じて回転することにより、紙幣の搬送方向を制御してもよい。
【００３０】
認識部１１３は、１枚ずつ搬送される紙幣の認識を行う。認識部１１３は、入金口１０１側の方向から搬送される紙幣、及びその逆方向から搬送される紙幣の認識を行うことができる。具体的には、認識部１１３は、搬送路１０７によって搬送された紙幣の金種、真偽、正損及び走行状態などを鑑別し、搬送される紙幣に対して、当該紙幣が正常であるか又は異常であるかの認識を行う。紙幣が異常であるという判定は、真偽、正損（汚損、損壊、外形異常等）、走行異常（スキュー紙幣、重走等）といった要因に基づいて行われる。また、認識部１１３により異常であると認識される紙幣（異常紙幣）は、出金紙幣として取り扱えない二千円札及び五千円札を含んでもよく、外国紙幣を含んでもよい。入金時における異常紙幣は、出金口１０３、１０５から排出され、オペレータへ返却される。
【００３１】
一時保留部１１５は、入金時に入金口１０１から分離されて認識部１１３により正常と認識された紙幣（正常紙幣）を一時的に収納する。一時保留部１１５に収納された紙幣は、取引が成立した場合（例えば、入金した紙幣の口座計上が確定した場合）等に繰り出され、認識部１１３に搬送される。そして、当該紙幣は、認識部１１３を経て紙幣カセット２０１等に搬送される。なお、一時保留部１１５の収納形式は、紙幣を順次重ねて収納する集積式であってもよいし、紙幣を順次巻いて収納するドラム式であってもよい。
【００３２】
上部ユニットカバー１１７は、上部ユニット１００の正面の上部に設けられ、上部ユニット１００の一部を覆う。上部ユニットカバー１１７は、例えば、入金口１０１、出金口１０３、１０５、搬送路１０７、及び一時保留部１１５の一部を覆う。上部ユニットカバー１１７は、上部ユニット１００が上部筐体３００に収納されている状態において、外部に露出される。
【００３３】
図２及び図３に示したように、上部ユニットカバー１１７の上面には操作ボタン１１９が設けられる。オペレータは、操作ボタン１１９を押下することによって、各種操作を行うことができる。図２及び図３に示したように、例えば、２つの操作ボタン１１９が、それぞれ上部ユニットカバー１１７の上面の左側面側及び右側面側に左右対称に配置されてもよい。なお、図２及び図３に示した操作ボタン１１９の数及び配置は一例に過ぎず、例えば、現金処理装置１には、１つの操作ボタン又は３つ以上の操作ボタンが設けられてもよく、操作ボタンは左右非対称に配置されてもよい。
【００３４】
また、図３に示したように、上部ユニットカバー１１７の上面には表示部１２１が設けられる。表示部１２１は、取引に関する情報や現金処理装置１のエラーに関する情報等を含む各種画面を表示する。当該機能は、例えば、ＣＲＴ（Ｃａｔｈｏｄｅ  Ｒａｙ  Ｔｕｂｅ）ディスプレイ装置、液晶ディスプレイ（ＬＣＤ）装置、又はＯＬＥＤ（Ｏｒｇａｎｉｃ  Ｌｉｇｈｔ  Ｅｍｉｔｔｉｎｇ  Ｄｉｏｄｅ）装置により実現される。例えば、図３に示したように、表示部１２１は、上部ユニットカバー１１７の上面の背面側に配置されてもよい。なお、図３に示した表示部１２１の数及び配置は一例に過ぎず、例えば、現金処理装置１には、１つの表示部又は３つ以上の表示部が設けられてもよい。
【００３５】
以上説明した上部ユニット１００は、紙幣のジャムの解消等の保守を行うために、上部筐体３００に対して引き出し及び挿入可能である。図４は、上部ユニット１００の引き出し方向を説明するための説明図である。図４に示したように、上部ユニット１００は、上部筐体３００に収納された状態から、上部筐体３００の正面に設けられた開口部３０１を介して正面方向へ引き出し可能である。上部ユニット１００は、上部筐体３００の内部に設けられたスライドレール（不図示）に沿って引き出され、又は挿入される。
【００３６】
[下部ユニット]
図１〜図３に示したように、下部ユニット２００は、紙幣カセット２０１、リジェクト庫２０３、及び引出２０５を含む。
【００３７】
紙幣カセット２０１は、１つ又は複数設けられ、紙幣を金種毎に収納可能であり、紙幣の収納および分離の両方の機能を有する。複数の紙幣カセット２０１には、互いに同一の金種の紙幣を収納する紙幣カセットが存在してもよい。また、紙幣カセット２０１は、現金処理装置１に対して着脱可能な構造になっていてもよく、現金処理装置１に対して着脱不可能なスタッカー（紙幣スタッカー）であってもよい。
【００３８】
リジェクト庫２０３は、紙幣を収納する収納機能を有する。例えば、リジェクト庫２０３は、認識部１１３によって異常であると認識された紙幣（異常紙幣）を収納する。
【００３９】
引出２０５は、紙幣カセット２０１及びリジェクト庫２０３を装填可能で、下部筐体４００の内部に収納可能であり、下部筐体４００の正面に設けられた開口部４０１を介して、下部筐体４００の外部に引き出し可能である。これにより、下部ユニット２００は、紙幣のジャムの解消等の保守又は紙幣カセット２０１の交換を行うために、下部筐体４００に対して引き出し及び挿入可能となる。
【００４０】
図５は、下部ユニット２００の引き出し方向を説明するための説明図である。図５に示したように、下部ユニット２００は、下部筐体４００に収納された状態から、正面方向へ引き出し可能である。具体的には、下部筐体４００の正面に設けられた開口部４０１を閉鎖する第２の扉７００、並びに開口部４０１及び第２の扉７００を覆う第１の扉５００が回動することによって、図５に示したように、開口部４０１が開放される。そして、下部筐体４００の内部に設けられたスライドレール（不図示）に沿って引出２０５が開口部４０１を介して引き出され、又は挿入されることによって、下部ユニット２００が、下部筐体４００に対して引き出され、又は挿入される。なお、下部ユニット２００は、下部筐体４００に対して背面方向へ引き出し可能であってもよい。その場合、下部筐体４００の背面に開口部が設けられ、当該開口部を開閉する扉は現金処理装置１の背面側に設けられる。
【００４１】
[上部筐体]
上部筐体３００は、下部筐体４００の上方に設けられ、上部ユニット１００を収納する。上部筐体３００の正面側には上部ユニット１００を引き出し可能とする開口部３０１が設けられており、上部ユニット１００が上部筐体３００に収納された状態において、上部筐体３００は、上部ユニット１００の背面側の一部を覆う。
【００４２】
[下部筐体]
下部筐体４００は、本発明に係る主筐体の一例である。下部筐体４００は、現金処理装置１の底面側に設けられ、下部ユニット２００を収納する。下部筐体４００の正面には、開口部４０１が設けられ、開口部４０１は、第１の扉５００及び第２の扉７００の回動によって開閉される。下部筐体４００は、例えば、外力による変形を抑制することができる程度の厚さの鋼板からなる。それにより、下部筐体４００に収納された紙幣カセット２０１のセキュリティを向上させることができる。
【００４３】
[第１の扉]
第１の扉５００は、現金処理装置１の正面側に設けられ、背面側が開口した中空の略直方体形状を有する。第１の扉５００は、下部筐体４００の正面に設けられた開口部４０１を覆う位置に配置され、下部筐体４００に対して開閉可能に設けられる。第１の扉５００は、開口部４０１が第２の扉７００により閉鎖された状態において、第２の扉７００を覆い、第２の扉７００を外部から離隔する。また、第１の扉５００の背面側には、紙幣を収納する収納空間を内部に有する紙幣収納庫としての紙幣収納部６００が設けられる。第１の扉５００は、開口部４０１を覆った状態において、紙幣収納部６００を外部から離隔する。現金処理装置１を利用した各種取引が行われる通常時において、第１の扉５００は開口部４０１を覆う。第１の扉５００には、第１の扉５００の正面側から紙幣収納部６００の収納空間へ投入される紙幣が通過する扉側紙幣入口５０１が設けられる。なお、第１の扉５００の詳細については、後述する。
【００４４】
[紙幣収納部]
紙幣収納部６００は、第１の扉５００の一面側に設けられ、紙幣を収納する収納空間を内部に有する。具体的には、紙幣収納部６００は、第１の扉５００の背面側に設けられる。紙幣収納部６００は、オペレータにより扉側紙幣入口５０１を介して投入された紙幣を収納する。それにより、オペレータは、入金時に認識部１１３により異常であると認識され、オペレータへ返却された紙幣を、現金処理装置１の内部に保管することができる。ゆえに、管理される紙幣の保管場所が分散されることを抑止することができる。従って、紙幣の管理の煩雑さを低減することが可能となる。
【００４５】
現金処理装置１は、複数の紙幣収納部６００及び扉側紙幣入口５０１を備えてもよい。また、当該複数の紙幣収納部６００及び扉側紙幣入口５０１は略水平方向に配置されてもよい。例えば、図２に示したように、現金処理装置１は、略水平方向に配置される２つの紙幣収納部６００及び扉側紙幣入口５０１を備える。それにより、例えば２人のオペレータが現金処理装置１を間に挟み略水平方向に並んで１つの現金処理装置１を利用する場合に、各オペレータは、各オペレータから近い位置に配置されている紙幣収納部６００及び扉側紙幣入口５０１を利用することができる。なお、図２に示した紙幣収納部６００及び扉側紙幣入口５０１の数及び配置は一例に過ぎず、例えば、現金処理装置１には、それぞれ１つ又は３つ以上の紙幣収納部６００及び扉側紙幣入口５０１が設けられてもよい。なお、紙幣収納部６００の詳細については、後述する。
【００４６】
[第２の扉]
第２の扉７００は、第１の扉５００より下部筐体４００の内部側に設けられる。第２の扉７００は、下部筐体４００の正面に設けられた開口部４０１を開閉可能とする。第２の扉７００は、開口部４０１を閉鎖した状態において、下部ユニット２００を覆い、下部ユニット２００を外部から離隔する。現金処理装置１には、第２の扉７００により閉鎖された下部筐体４００の開口部４０１の開放を規制する施錠部（不図示）が設けられてもよい。それにより、下部筐体４００の開口部４０１を開放し、下部筐体４００の内部の引出２０５に装填された紙幣カセット２０１にアクセスすることができるオペレータを制限することができる。ゆえに、下部筐体４００に収納された紙幣カセット２０１のセキュリティを向上させることが可能である。現金処理装置１を利用した各種取引が行われる通常時において、第２の扉７００は開口部４０１を閉鎖している。
【００４７】
（１−２．現金処理装置の各取引における紙幣の流れ）
前節では、本発明の実施形態に係る現金処理装置１の概略構成について説明した。続いて、図６及び図７を参照して、本発明の実施形態に係る現金処理装置１の各取引における紙幣の流れについて説明する。取引には、入金、収納等が含まれ得る。なお、図６及び図７において、正常紙幣の流れは、実線矢印によって示されており、異常紙幣の流れは、破線矢印によって示されている。
【００４８】
図６は、本発明の実施形態に係る現金処理装置１の入金時における紙幣の流れを示す説明図である。図６に示したように、入金時において、オペレータによって入金口１０１に投入された紙幣は、搬送路１０７によって認識部１１３に搬送される。認識部１１３によって異常であると認識された紙幣は、出金口１０３、１０５に搬送される。出金口１０３、１０５に搬送され、出金口１０３、１０５から排出された紙幣は、オペレータへ返却される。
【００４９】
一方、認識部１１３によって正常であると認識された紙幣は、一時保留部１１５に搬送され、一時保留部１１５によって一時的に収納される。入金動作が終わると、現金処理装置１と相互に通信可能な現金処理装置１を制御する上位システム（不図示）によって入金金額が表示される。入金金額をオペレータが確認すると、上位システム（不図示）の指示に従って、現金処理装置１の動作が入金動作から収納動作に移行される。
【００５０】
図７は、本発明の実施形態に係る現金処理装置１の収納時における紙幣の流れを示す説明図である。図７に示したように、収納時において、一時保留部１１５に収納された紙幣が搬送路１０７によって認識部１１３に搬送される。認識部１１３によって異常であると認識された紙幣は、リジェクト庫２０３に搬送される。一方、認識部１１３によって正常であると認識された紙幣は、紙幣カセット２０１に搬送され、紙幣カセット２０１によって収納される。
【００５１】
以上説明したように、入金時に認識部１１３により異常であると認識された紙幣は、出金口１０３、１０５から排出され、オペレータへ返却される。オペレータへ返却された異常紙幣を現金処理装置１の内部に保管することを可能とする、本発明の実施形態に係る紙幣収納部６００及び第１の扉５００について、次節にて詳細に説明する。
【００５２】
（１−３．紙幣収納部及び第１の扉の構成）
前節では、本発明の実施形態に係る現金処理装置１の各取引における紙幣の流れについて説明した。続いて、図８〜図１４を参照して、本発明の実施形態に係る紙幣収納部６００及び第１の扉５００の構成について説明する。図８は、本発明の実施形態に係る紙幣収納部６００の構成を示す斜視図である。図９は、本発明の実施形態に係る紙幣収納部６００及び第１の扉５００の構成を示す説明図である。図１０は、扉側紙幣入口５０１の詳細について説明するための説明図である。図１１は、第１の扉５００に対する紙幣収納部６００の回動後の紙幣収納部６００及び第１の扉５００を示す説明図である。図１２は、図１１に示した紙幣収納部６００及び第１の扉５００の略鉛直方向のＢ−Ｂ断面における断面図である。
【００５３】
図８において、矢印Ｄ１は、現金処理装置１の正面方向を示し、矢印Ｄ２は、現金処理装置１の底面方向を示す。図９のａ、ｂ、ｃ、及びｄは、それぞれ紙幣収納部６００及び第１の扉５００の背面図、左側面図、正面図、及び上面図を示す。紙幣収納部６００は第１の扉５００に対して移動可能に設けられ、図９においては、現金処理装置１を利用した各種取引が行われる通常時における紙幣収納部６００の位置、すなわち開口部６０３を閉鎖している状態（第１の位置）に位置する紙幣収納部６００が示されている。
【００５４】
紙幣収納部６００は、図８に示したように、中空の略直方体形状を有する。紙幣収納部６００の正面の上縁部には、収納部側紙幣入口６０１が設けられ、紙幣収納部６００の正面の中央部には、開口部６０３が設けられる。収納部側紙幣入口６０１と開口部６０３とは、紙幣収納部６００の上部に設けられた遮蔽部６０５によって隔てられる。紙幣収納部６００の正面の開口部６０３より下方には、図８に示したように、平面部６００ａが設けられてもよい。開口部６０３は、図９に示したように、紙幣収納部６００が第１の位置にあるときに、第１の扉５００の背面側により覆われる。それにより、紙幣収納部６００の内部の遮蔽部６０５より下方には、紙幣を収納する収納空間６０７が形成される。
【００５５】
紙幣収納部６００の収納部側紙幣入口６０１は、図９に示したように、紙幣収納部６００が第１の位置にあるときに、第１の扉５００に設けられる扉側紙幣入口５０１と対向する位置に配置される。それにより、オペレータは、第１の扉５００の扉側紙幣入口５０１及び紙幣収納部６００の収納部側紙幣入口６０１を介して紙幣収納部６００の収納空間６０７へ紙幣を投入することができる。扉側紙幣入口５０１及び収納部側紙幣入口６０１は、例えば、上側が現金処理装置１の背面方向に傾斜する。
【００５６】
扉側紙幣入口５０１は、略水平方向に延設される貫通孔である。ここで、第１の扉５００の上方には、現金処理装置１の一部が配置されてもよい。図１０には、第１の扉５００が閉じている状態における、現金処理装置１の左側面から見た上部ユニット１００の正面側の一部、第１の扉５００及び紙幣収納部６００が示されている。図１０に示したように、第１の扉５００が閉じている状態においては、第１の扉５００の上方には上部ユニット１００が位置し、第１の扉５００の正面及び上部ユニット１００の正面は略同一平面上に位置する。また、扉側紙幣入口５０１は、第１の扉５００の正面より現金処理装置１の内部側に位置する。よって、扉側紙幣入口５０１の上方には、上部ユニット１００が配置されている。それによりオペレータにより紙幣収納部６００へ投入することを意図されない物体が、扉側紙幣入口５０１を介して紙幣収納部６００へ侵入することを抑止することが可能である。なお、第１の扉５００に設けられる複数の扉側紙幣入口５０１の寸法や位置は互いに異なってもよい。
【００５７】
開口部６０３は、紙幣収納部６００が第１の扉５００に対して移動することによって、開放される。それにより、紙幣収納部６００の内部の収納空間６０７に収納された紙幣を容易に回収することが可能となる。具体的には、現金処理装置１を用いた取引業務の終了後等に、オペレータは、下部筐体４００の正面に設けられた第１の扉５００を開ける方向へ回動させ、紙幣収納部６００を第１の扉５００に対して移動させた後に、収納空間６０７に収納された紙幣を回収する。
【００５８】
紙幣収納部６００の開口部６０３より下方には、図８に示したように、略水平方向の回転軸Ａ１が設けられる。紙幣収納部６００は、回転軸Ａ１を中心に開口部６０３が開放又は閉塞される方向に回動可能に設けられる。以下、紙幣収納部６００の回動について説明する。
【００５９】
図９に示したように、第１の扉５００の、紙幣収納部６００が第１の位置に位置するときに紙幣収納部６００の開口部６０３を覆う面（第１の扉５００の背面）には、紙幣収納部６００側へ突出する第１のカバー部５０３が設けられる。第１のカバー部５０３は、紙幣収納部６００の側面に隣接する。具体的には、第１のカバー部５０３は、紙幣収納部６００の、第１の扉５００の側面に近い方の側面６００ｂの外面に沿って隣接する。また、第１の扉５００の背面側の下部には、ブラケット５０５が設けられる。ブラケット５０５は、第１のカバー部５０３と隣接する紙幣収納部６００の側面６００ｂと対向する紙幣収納部６００の側面６００ｃの外面の下部に隣接する。
【００６０】
図８に示したように、紙幣収納部６００の回転軸Ａ１と交差する位置に貫通孔６０９が形成される。また、第１のカバー部５０３及びブラケット５０５にも、回転軸Ａ１と交差する位置に貫通孔（不図示）がそれぞれ形成される。回転軸Ａ１として、例えば、シャフト（不図示）が紙幣収納部６００に形成された貫通孔６０９、第１のカバー部５０３に形成された貫通孔（不図示）、及びブラケット５０５に形成された貫通孔（不図示）に挿通される。これにより、紙幣収納部６００は、回転軸Ａ１を中心として開口部６０３を開放又は閉塞する方向に回動可能となる。なお、当該シャフト（不図示）は、紙幣収納部６００に対して固定されていてもよく、又は第１のカバー部５０３及びブラケット５０５に対して固定されていてもよい。
【００６１】
図１１及び図１２には、紙幣収納部６００が回転軸Ａ１を中心として回動した後の紙幣収納部６００が示されている。図１２において、第１の位置に位置する紙幣収納部６００が二点鎖線で示されている。第１の扉５００を開いた後、紙幣収納部６００が回転軸Ａ１を中心として第１の位置から回動することにより、図１２に示したように、開口部６０３が開放される。ここで、開口部６０３が開放された状態における、図１２に示した紙幣収納部６００の位置を第２の位置と呼ぶ。また、紙幣収納部６００の回動可能な角度の上限値は鋭角であってもよく、紙幣収納部６００は、例えば、図１２に示したように、紙幣収納部６００の底部が第１の扉５００の底部に接触するまで回動可能である。
【００６２】
回転軸Ａ１は、図１２に示したように、第１の扉５００の背面と対向する紙幣収納部６００の正面側に設けられてもよい。それにより、紙幣収納部６００が第１の位置に位置するときに、回転軸Ａ１は、紙幣収納部６００の重心位置より開口部６０３が設けられる紙幣収納部６００の正面側に配置される。ゆえに、紙幣収納部６００は、後述する施錠部８００による施錠が解錠されると、開口部６０３が開放されるように、自重によって、回転軸Ａ１回りに回動することができる。
【００６３】
現金処理装置１は、紙幣収納部６００が第１の位置に位置するときに、紙幣収納部６００と第１の扉５００との間に挟まれる緩衝部材９００を備えてもよい。緩衝部材９００は、図９、図１０及び図１２に示したように、例えば、第１の扉５００の背面の下部に設けられる。緩衝部材９００は、図９のｃに示したように、紙幣収納部６００の水平方向の幅と略同一の長さ略水平方向に延設されてもよい。具体的には、緩衝部材９００は、紙幣収納部６００が第１の位置に位置するときに、紙幣収納部６００の開口部６０３より下方に位置し、第１の扉５００の背面の下部と、紙幣収納部６００の正面の下部に設けられた平面部６００ａとの間に挟まれる。
【００６４】
それにより、紙幣収納部６００内の紙幣の回収が完了した後等において、紙幣収納部６００が第２の位置から第１の位置へ回動したときに、紙幣収納部６００と第１の扉５００との衝突による衝撃を緩和することができる。さらに、緩衝部材９００は、紙幣収納部６００の開口部６０３が第１の扉５００の背面側に覆われている状態において、開口部６０３が設けられた紙幣収納部６００の正面と、開口部６０３を覆う第１の扉５００の背面側との間に介在するので、開口部６０３から紙幣収納部６００の内部の収納空間６０７に収納されている紙幣が落下することを抑制することができる。なお、緩衝部材９００は、第１の扉５００側に設けられてもよく、紙幣収納部６００側に設けられてもよい。
【００６５】
また、現金処理装置１は、紙幣収納部６００が第２の位置に位置するときに、紙幣収納部６００と第１の扉５００との間に挟まれる緩衝部材（不図示）を備えてもよい。例えば、紙幣収納部６００が第２の位置に位置するときに互いに接触する紙幣収納部６００の底部と第１の扉５００の底部との間に、緩衝部材（不図示）が設けられてもよい。それにより、現金処理装置１を用いた取引業務の終了後等において、紙幣収納部６００が第１の位置から第２の位置へ回動したときに、紙幣収納部６００と第１の扉５００との衝突による衝撃を緩和することができる。
【００６６】
遮蔽部６０５は、図９及び図１０に示したように、収納空間６０７に収納された紙幣が外部から覗き見られることを抑制するために、紙幣収納部６００の収納空間６０７と第１の扉５００の扉側紙幣入口５０１との間に設けられ、収納空間６０７を下部筐体４００の外部から遮蔽する。遮蔽部６０５は、例えば、下側が現金処理装置１の背面方向に傾斜する。なお、遮蔽部６０５は、第１の扉５００側に設けられてもよく、扉側紙幣入口５０１を開閉可能としてもよい。
【００６７】
図８及び図９に示したように、紙幣収納部６００の第１の扉５００によって覆われない背面６００ｄに貫通孔６１１が形成されてもよい。それにより、紙幣収納部６００の外部から紙幣収納部６００の内部の収納空間６０７に紙幣が収納されているか否かを認識することができる。ゆえに、紙幣の回収し忘れを抑止することができる。貫通孔６１１は、収納空間６０７へ収納される紙幣の短辺の長さより長さが短いスリット形状を有してもよい。それにより、収納空間６０７により収納された紙幣が貫通孔６１１を通過して紙幣収納部６００の外部へ放出されることを抑制することができる。また、図９に示したように、貫通孔６１１は、略鉛直方向に延設されてもよい。
【００６８】
図９に示したように、第１の扉５００の、紙幣収納部６００が第１の位置に位置するときに紙幣収納部６００の開口部６０３を覆う面（第１の扉５００の背面）には、紙幣収納部６００側へ突出する第２のカバー部５０７が設けられてもよい。図９に示したように、第２のカバー部５０７は、紙幣収納部６００が第１の位置に位置するときに、紙幣収納部６００の側面に隣接する。具体的には、第２のカバー部５０７は、第１のカバー部５０３と隣接する紙幣収納部６００の側面６００ｂと対向する紙幣収納部６００の側面６００ｃの外面に沿って隣接する。第２のカバー部５０７は、ブラケット５０５の上方に設けられる。
【００６９】
現金処理装置１は、第１の扉５００により覆われた紙幣収納部６００の開口部６０３の開放を規制する施錠部８００を備えてもよい。例えば、図９に示したように、施錠部８００は、紙幣収納部６００の、第１の扉５００の側面に近い方の側面６００ｂの上部に設けられる。以下、施錠部８００について説明する。
【００７０】
図１３は、図９に示した施錠部８００及び施錠部８００の周囲の構成を含む一点鎖線で示した領域Ａ２の拡大図である。図１４は、図１３に示した施錠部８００及び施錠部８００の周囲の構成の略水平方向のＣ−Ｃ断面における断面図である。図１３及び図１４に示したように、施錠部８００は、ベース部８０１、筐体部８０３、鍵穴８０５、係止部８０７、及び突起部８０９を含む。
【００７１】
ベース部８０１は、他端が紙幣収納部６００と接続され、第１のカバー部５０３より第１の扉５００の側面側に向かって延設される。筐体部８０３は、ベース部８０１に挿通して設けられ、内部に回転可能に設けられたシリンダ部（不図示）を有する。筐体部８０３は、第１のカバー部５０３より第１の扉５００の側面側に位置する。シリンダ部（不図示）は、筐体部８０３の背面側から正面側へ向かう回転軸回りに回転可能である。
【００７２】
鍵穴８０５は、筐体部８０３の背面に設けられ、鍵が挿入される穴である。係止部８０７は、筐体部８０３の正面側に設けられ、筐体部８０３の内部のシリンダ部（不図示）と接続される。係止部８０７は、シリンダ部（不図示）の回転に従って回転する。突起部８０９は、第１のカバー部５０３から第１の扉５００の側面側へ突出し、図１３及び図１４に示した施錠状態において、係止部８０７により係止される。それにより、施錠部８００は、施錠状態において、紙幣収納部６００の図９に示した第１の位置からの移動を規制する。従って、施錠部８００は、施錠状態において第１の扉５００により覆われた紙幣収納部６００の開口部６０３の開放を規制する。
【００７３】
施錠部８００を開錠可能な鍵を鍵穴８０５に挿入し、当該鍵をシリンダ部（不図示）の回転軸回りに回転させることによって、シリンダ部（不図示）及び係止部８０７を回転させることができる。係止部８０７は、シリンダ部（不図示）の回転軸に対して偏心して設けられている。それにより、当該鍵をシリンダ部（不図示）の回転軸回りに回転させることによって、突起部８０９が係止部８０７により係止される施錠状態と、突起部８０９が係止部８０７により係止されない開錠状態と、を切り替えることができる。
【００７４】
以上説明した施錠部８００を開錠可能な鍵と、施錠状態において第２の扉７００により閉鎖された下部筐体４００の正面に設けられた開口部４０１の開放を規制する施錠部（不図示）を開錠可能な鍵とは、互いに異なってもよい。
【００７５】
＜２．効果＞
上述した実施形態によれば、第１の扉５００は、下部筐体４００の正面に設けられた開口部４０１を覆う位置に配置され、下部筐体４００に対して開閉可能に設けられる。紙幣収納部６００は、第１の扉５００の背面側に設けられ、紙幣を収納する収納空間６０７を内部に有する。第１の扉５００には、第１の扉５００の正面側から収納空間６０７へ投入される紙幣が通過する扉側紙幣入口５０１が設けられる。それにより、オペレータは、入金時に認識部１１３により異常であると認識され、オペレータへ返却された紙幣を、現金処理装置１の内部に保管することができる。ゆえに、管理される紙幣の保管場所が分散されることを抑止することができる。従って、紙幣の管理の煩雑さを低減することが可能となる。
【００７６】
また、ある実施形態によれば、遮蔽部６０５は、紙幣収納部６００の収納空間６０７と第１の扉５００の扉側紙幣入口５０１との間に設けられ、収納空間６０７を下部筐体４００の外部から遮蔽する。それにより、収納空間６０７に収納された紙幣が外部から覗き見られることを抑制することができる。また、収納空間６０７から扉側紙幣入口５０１までの経路のうち直線的な経路を遮断することができるので、収納空間６０７に収納された紙幣を、扉側紙幣入口５０１を介して、外部へ取り出すことを困難にすることができる。ゆえに、収納空間６０７に収納された紙幣のセキュリティを向上させることが可能である。
【００７７】
また、ある実施形態によれば、紙幣収納部６００に設けられた開口部６０３は、紙幣収納部６００が第１の位置に位置するときに、第１の扉５００の背面側により覆われ、紙幣収納部６００が第２の位置に位置するときに、開放される。それにより、紙幣収納部６００を第１の位置から第２の位置へ移動させることにより、紙幣収納部６００の開口部６０３を開放させることができる。ゆえに、紙幣収納部６００の内部の収納空間６０７に収納された紙幣を容易に回収することが可能となる。
【００７８】
また、ある実施形態によれば、現金処理装置１は、施錠状態において第１の扉５００により覆われた紙幣収納部６００の開口部６０３の開放を規制する施錠部８００を備える。それにより、施錠部８００を開錠可能な鍵を取り扱うことのできるオペレータを制限することによって、紙幣収納部６００の開口部６０３を開放し、紙幣収納部６００の内部の収納空間６０７に収納された紙幣を回収することができるオペレータを制限することができる。ゆえに、収納空間６０７に収納された紙幣のセキュリティを向上させることが可能である。
【００７９】
また、ある実施形態によれば、第１の扉５００より下部筐体４００の内部側には、下部筐体４００の正面に設けられた開口部４０１を開閉可能とする第２の扉７００が設けられる。また、現金処理装置１には、施錠状態において第２の扉７００により閉鎖された下部筐体４００の正面に設けられた開口部４０１の開放を規制する施錠部が設けられる。施錠状態において第１の扉５００により覆われた紙幣収納部６００の開口部６０３の開放を規制する施錠部８００を開錠可能な鍵と、施錠状態において第２の扉７００により閉鎖された下部筐体４００の正面に設けられた開口部４０１の開放を規制する施錠部を開錠可能な鍵とは、互いに異なる。
【００８０】
それにより、上述の２つの施錠部を開錠可能なそれぞれの鍵を取り扱うことのできるオペレータを制限することによって、紙幣収納部６００の開口部６０３を開放し、紙幣収納部６００の内部の収納空間６０７に収納された紙幣を回収することができるオペレータと、下部筐体４００の正面に設けられた開口部４０１を開放し、下部筐体４００の内部の引出２０５に装填された紙幣カセット２０１にアクセスすることができるオペレータと、を独立に制限することができる。ゆえに、セキュリティの管理を多様化させることが可能である。
【００８１】
また、ある実施形態によれば、紙幣収納部６００の第１の扉５００によって覆われない背面６００ｄに貫通孔６１１が形成される。それにより、紙幣収納部６００の外部から紙幣収納部６００の内部の収納空間６０７に紙幣が収納されているか否かを認識することができる。ゆえに、紙幣の回収し忘れを抑止することができる。
【００８２】
また、ある実施形態によれば、貫通孔６１１は、紙幣収納部６００の収納空間６０７へ収納される紙幣の短辺の長さより長さが短いスリット形状を有する。それにより、収納空間６０７により収納された紙幣が貫通孔６１１を通過して紙幣収納部６００の外部へ放出されることを抑制することができる。
【００８３】
また、ある実施形態によれば、貫通孔６１１は、略鉛直方向に延設される。収納空間６０７内において、紙幣は略鉛直方向に積層されるので、各紙幣は略水平面に平行な姿勢で収納される。それにより、紙幣と貫通孔６１１の延設される方向を交差させることができる。ゆえに、収納空間６０７により収納された紙幣の一部が貫通孔６１１を通過して紙幣収納部６００の外部へはみ出ることを抑制することができる。
【００８４】
また、ある実施形態によれば、紙幣収納部６００の開口部６０３より下方には、略水平方向の回転軸Ａ１が設けられ、紙幣収納部６００は、回転軸Ａ１を中心に開口部６０３が開放又は閉塞される方向に回動可能に設けられる。それにより、開口部６０３が第１の扉５００に覆われた状態から紙幣収納部６００が回動を開始する場合に、開口部６０３が上方を向く姿勢で当該回動が開始される。ゆえに、当該回動の開始直後において、紙幣収納部６００の内部に収納されている紙幣が紙幣収納部６００の開口部６０３から落下することを抑制することができる。
【００８５】
また、ある実施形態によれば、第１の扉５００の、紙幣収納部６００が第１の位置に位置するときに紙幣収納部６００の開口部６０３を覆う面には、紙幣収納部６００側へ突出する第１のカバー部５０３及び第２のカバー部５０７が設けられる。第１のカバー部５０３及び第２のカバー部５０７は、紙幣収納部６００が第１の位置に位置するときに、紙幣収納部６００の側面に隣接する。それにより、紙幣収納部６００が第１の位置に位置するときに、紙幣収納部６００の開口部６０３の周縁部と、開口部６０３を覆う第１の扉５００の面とが当接する部分が第１のカバー部５０３及び第２のカバー部５０７によって覆われる。ゆえに、紙幣収納部６００の開口部６０３の周縁部と、開口部６０３を覆う第１の扉５００の面とが当接する部分から紙幣収納部６００の内部の収納空間６０７に収納されている紙幣が落下することを抑制することができる。
【００８６】
また、ある実施形態によれば、現金処理装置１は、紙幣収納部６００が第１の位置に位置するときに、紙幣収納部６００と第１の扉５００との間に挟まれる緩衝部材９００を備える。それにより、紙幣収納部６００の開口部６０３が開放される第２の位置から紙幣収納部６００の開口部６０３が第１の扉５００により覆われる第１の位置まで紙幣収納部６００が回動したときに、紙幣収納部６００と第１の扉５００との衝突による衝撃を緩和することができる。ゆえに、現金処理装置１の部品の破損を抑制することが可能である。さらに、緩衝部材９００は、紙幣収納部６００の開口部６０３が第１の扉５００の背面側に覆われている状態において、開口部６０３が設けられた紙幣収納部６００の正面と、開口部６０３を覆う第１の扉５００の背面との間に介在するので、開口部６０３から紙幣収納部６００の内部の収納空間６０７に収納されている紙幣が落下することを抑制することができる。
【００８７】
また、ある実施形態によれば、現金処理装置１は、複数の紙幣収納部６００及び扉側紙幣入口５０１を備える。それにより、１つの現金処理装置１を利用する複数のオペレータのそれぞれは、互いに異なる紙幣収納部６００及び扉側紙幣入口５０１を利用することができる。ゆえに、複数のオペレータが現金処理装置１を利用する場合に、複数のオペレータによる紙幣収納部６００への紙幣の投入を円滑化することが可能となる。
【００８８】
また、ある実施形態によれば、複数の紙幣収納部６００及び扉側紙幣入口５０１は略水平方向に配置される。それにより、略水平方向に並んで１つの現金処理装置１を利用する複数のオペレータの位置に対応する位置に紙幣収納部６００及び扉側紙幣入口５０１をそれぞれ配置することができる。ゆえに、複数のオペレータが略水平方向に並んで１つの現金処理装置１を利用する場合に、複数のオペレータによる紙幣収納部６００への紙幣の投入を円滑化することが可能となる。
【００８９】
また、ある実施形態によれば、扉側紙幣入口５０１の上方には、現金処理装置１の一部が配置される。それにより、扉側紙幣入口５０１の上方から落下する物体は、扉側紙幣入口５０１に到達する前に扉側紙幣入口５０１の上方に位置する現金処理装置１の一部により遮られ得る。ゆえに、オペレータにより紙幣収納部６００へ投入することを意図されない物体が、扉側紙幣入口５０１を介して紙幣収納部６００へ侵入することを抑止することが可能である。
【００９０】
＜３．むすび＞
以上説明したように、第１の扉は、下部筐体の一面に設けられた開口部を覆う位置に配置され、下部筐体に対して開閉可能に設けられる。紙幣収納部は、第１の扉の一面側に設けられ、紙幣を収納する収納空間を内部に有する。第１の扉には、第１の扉の他面側から収納空間へ投入される紙幣が通過する扉側紙幣入口が設けられる。それにより、オペレータは、入金時に認識部により異常であると認識され、オペレータへ返却された紙幣を、現金処理装置の内部に保管することができる。ゆえに、管理される紙幣の保管場所が分散されることを抑止することができる。従って、紙幣の管理の煩雑さを低減することが可能となる。
【００９１】
なお、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【符号の説明】
【００９２】
１  現金処理装置
１００  上部ユニット
１０１  入金口
１０３、１０５  出金口
１０７  搬送路
１０９、１１１  ブレード
１１３  認識部
１１５  一時保留部
１１７  上部ユニットカバー
１１９  操作ボタン
１２１  表示部
２００  下部ユニット
２０１  紙幣カセット
２０３  リジェクト庫
２０５  引出
３００  上部筐体
３０１、４０１  開口部
４００  下部筐体
５００  第１の扉
５０１  扉側紙幣入口
５０３  第１のカバー部
５０５  ブラケット
５０７  第２のカバー部
６００  紙幣収納部
６０１  収納部側紙幣入口
６０３  開口部
６０５  遮蔽部
６０７  収納空間
６０９、６１１  貫通孔
７００  第２の扉
８００  施錠部
８０１  ベース部
８０３  筐体部
８０５  鍵穴
８０７  係止部
８０９  突起部
９００  緩衝部材
【図１】
0006492907.tif 000002
【図２】
0006492907.tif 000003
【図３】
0006492907.tif 000004
【図４】
0006492907.tif 000005
【図５】
0006492907.tif 000006
【図６】
0006492907.tif 000007
【図７】
0006492907.tif 000008
【図８】
0006492907.tif 000009
【図９】
0006492907.tif 000010
【図１０】
0006492907.tif 000011
【図１１】
0006492907.tif 000012
【図１２】
0006492907.tif 000013
【図１３】
0006492907.tif 000014
【図１４】
0006492907.tif 000015